(57)【要約】【課題】無線通信システムにおいて、ＰＣＲ値を含むＴＳパケットが含まれる無線フレームの転送遅延を最小に抑えることができ、無線伝送遅延時間の揺らぎを小さくする。【解決手段】映像信号と音声信号とを同期して無線通信するためにＭＰＥＧ２−ＴＳ（Moving Picture Experts 2-Transport Stream）を使用してＴＳパケットを通信する無線通信装置であって、ＰＣＲ（Program Clock Reference）値を含むＴＳ（Transport Stream）パケットを無線フレームに格納する場合に、当該ＴＳパケットが無線フレームサイズになるようにヌルフレームをパディング処理する無線通信回路１０３を備える。【選択図】図１
2015104072.tif 000002
【特許請求の範囲】
【請求項１】
映像信号と音声信号とを同期して通信するためにＭＰＥＧ２−ＴＳ（Moving Picture Experts 2-Transport Stream）を使用してＴＳパケットを通信する通信装置であって、
ＰＣＲ（Program Clock Reference）値を含むＴＳ（Transport Stream）パケットをフレームに格納する場合に、当該ＴＳパケットがフレームサイズになるようにヌルフレームをパディング処理する通信回路を備えることを特徴とする通信装置。
【請求項２】
上記通信回路は、上記ＴＳパケットを受信したとき、当該ＴＳパケット内のヌルフレームを削除することを特徴とする請求項１記載の通信装置。
【請求項３】
生成したＴＳパケットがＰＣＲ値を含むことを示すＰＣＲ通知信号を上記通信回路に出力する符号化回路を備えることを特徴とする請求項１又は２記載の通信装置。
【請求項４】
上記フレームのサイズはＴＳパケットのサイズの倍数に設定されることを特徴とする請求項１〜３のうちのいずれか１つに記載の通信装置。
【請求項５】
ユーザがパディング処理を行うか否かを設定する入力装置をさらに備えることを特徴とする請求項１〜４のうちのいずれか１つに記載の通信装置。
【請求項６】
映像信号と音声信号とを同期して通信回路を用いて通信するためにＭＰＥＧ２−ＴＳ（Moving Picture Experts 2-Transport Stream）を使用してＴＳパケットを通信する通信装置のための信号処理プログラムであって、
上記通信回路が、ＰＣＲ（Program Clock Reference）値を含むＴＳ（Transport Stream）パケットをフレームに格納する場合に、当該ＴＳパケットがフレームサイズになるようにヌルフレームをパディング処理するステップを含むことを特徴とする信号処理プログラム。
【請求項７】
映像信号と音声信号とを同期して通信回路を用いて通信するためにＭＰＥＧ２−ＴＳ（Moving Picture Experts 2-Transport Stream）を使用してＴＳパケットを通信する通信装置のための信号処理プログラムを記憶し、コンピュータにより読取可能な記録媒体であって、
上記通信回路が、ＰＣＲ（Program Clock Reference）値を含むＴＳ（Transport Stream）パケットをフレームに格納する場合に、当該ＴＳパケットがフレームサイズになるようにヌルフレームをパディング処理するステップを含む信号処理プログラムを格納することを特徴とする、コンピュータにより読取可能な記録媒体。
【発明の詳細な説明】
【技術分野】
【０００１】
本発明は、ＭＰＥＧ２−ＴＳ（Moving Picture Experts 2-Transport Stream）技術を用いて映像信号及び音声信号を同期させて伝送する送信装置又は受信装置を含む通信装置に関する。本発明はまた、上記通信装置のための信号処理プログラム、並びに当該信号処理プログラムを格納する記録媒体に関する。
【背景技術】
【０００２】
近年では、有線通信ネットワークの多くが無線通信ネットワークに置き換わっている。特に、タブレット端末装置、スマートフォンなど、無線通信インターフェースしか持たない機器の登場により、無線通信ネットワークが今後も益々普及していくと予想される。無線通信ネットワークの需要の拡大に応じて無線通信ネットワークの伝送速度も飛躍的に向上し、その結果、画像及び動画情報などの大容量データ及び音声情報などのリアルタイムデータを無線伝送することも可能になっている。
【０００３】
無線通信システムに含まれる各端末装置（無線送信装置及び無線受信装置）の無線通信回路は、予め決められた一連のタイムスロットに同期して通信する（特許文献１を参照）。さらに、同期したタイムスロットにおいて映像信号及び音声信号の両方を含むデータを無線伝送する場合、無線送信装置のエンコーダ及び無線受信装置のデコーダは互いに同期して、映像信号及び音声信号を同期させる必要がある（特許文献２及び３を参照）。映像信号及び音声信号を同期させるための技術の１つとして、ＭＰＥＧ２−ＴＳ技術が広く普及している。ＭＰＥＧ２−ＴＳ技術はデジタル放送分野などで使用されていて、ＭＰＥＧ２及びＨ．２６４技術などを用いて圧縮された映像信号と音声信号とを格納したＴＳパケットを、ネットワークを介して通信する。
【０００４】
ＴＳパケットには、映像信号及び音声信号の他に様々な情報が格納されるが、その中の重要な情報の１つとしてＰＣＲ（Program Clock Reference）値がある。ＰＣＲ値はエンコーダの現在の時刻情報を示し、デコーダはこのＰＣＲ値を用いて内部タイマー回路の値を調整することで、映像信号及び音声信号を出力するタイミングを制御し、映像信号と音声信号を同期させる。
【０００５】
無線通信システムにおいてＭＰＥＧ２−ＴＳ技術を使用することで、データの符号化及び復号化をリアルタイムに行うことができる。リアルタイムの符号化及び復号化を高品質で実現するためには、無線通信ネットワーク上のパケット欠落を最小限に抑える仕組み、及び無線伝送遅延時間の変動を吸収する仕組みが必要になる。
【０００６】
例えば、無線伝送遅延時間の揺らぎにより映像信号、音声信号の品質が維持できなくなる場合がある。ＭＰＥＧ２−ＴＳ技術では、前述したＰＣＲ値を使用してデコード側はエンコード側の時間情報に追従する形でお互いのクロック信号のずれを吸収することで同期をとるが、ＰＣＲ値が格納されたＴＳパケットの到着時間が無線転送遅延揺らぎにより前後すると、デコード側は揺らいだ時間に追従することになるので、クロック信号の発振周波数が大きく上下してしまい、結果として映像信号のひずみや色ずれの原因になる。こういった状態を防ぐために、ＭＰＥＧ２−ＴＳ規格では、ＰＣＲ値の許容誤差は数十マイクロ秒以内に抑えることが決められている。
【０００７】
また、無線転送フレームサイズとＴＳパケットサイズは異なる事が一般的である。ＴＳパケットサイズが１８８バイト、もしくは２０４バイトであるのに対して、例えばＩＥＥＥ８０２．１１ａ／ｂ／ｇで定められる無線ＬＡＮの最大フレームサイズは２３０４バイトになる。ＩＥＥＥ８０２．１１ｎでは無線転送速度を高めるためにアグリゲーション技術などが使用されて、最大フレームサイズが６５５３５バイトになる。
【０００８】
ＭＰＥＧ２−ＴＳ技術では、ビットレート調整などの目的で送出するＴＳパケットが無い場合、ＴＳパケットの１種類であるヌルフレームを送出する。但し、このヌルフレームは無線転送するメディア情報とは無関係の意味の無い情報であり、かつヌルフレームが多く含まれるとネットワーク帯域を圧迫するので、ヌルフレームを含めないことが理想である。
【０００９】
但し、ヌルフレームを使用しない場合、ＰＣＲ値を含むＴＳパケットを生成して無線フレームに格納した場合に、所定の無線フレームサイズに満たないで、続くＴＳパケットがある一定期間無い場合が生じる場合があり、この場合、ＰＣＲ値を含むＴＳパケットを無線転送できなくなる。結果として、無線伝送遅延時間の揺らぎが大きくなる。例えば、映像ＥＳデータのＴＳパケット化の境界が、無線フレームサイズの境界と一致しない場合などである。
【発明の概要】
【発明が解決しようとする課題】
【００１０】
無線通信システムにおいては、ヌルフレームは無線転送帯域を圧迫するなどの問題で、無線転送したくない。但し、そういった場合に、ＰＣＲ値を含むＴＳパケットに続くＴＳパケットが無い、もしくは、ある一定期間生成されない場合、所定サイズの無線フレームを生成することができないために、ＰＣＲ値を含む無線フレームを転送できない問題があった。この問題により、無線伝送遅延時間の揺らぎが大きくなり、映像信号と音声信号の同期が取れなくなる問題があった。
【００１１】
例えば特許文献１では、画像データをコーデックにより圧縮処理した符号データを生成する場合に、コーデックから出力される符号データサイズを所定のサイズに一致させるためにパディング処理を行う。パケット化前にパディング処理を行う事で、ネットワーク側で所定サイズに満たないためにネットワーク転送を待機することが無く、低遅延でＴＳパケットの転送を行う事ができる。但し、符号データが所定サイズの倍数で無い場合、その符号データ毎にパディング処理を行うために、パディング処理を行うデータサイズが大きくなり、ネットワーク帯域を圧迫する可能性がある。また、符号データにパディング処理を行う事で受信側にパディングデータの削除処理が伸張処理を行うまで必要ないと記載されているが、それ故に、パディングデータまで含めたデータをＴＳ処理する必要がある。
【００１２】
本発明の目的は以上の問題点解決し、通信システムにおいて、ＰＣＲ値を含むＴＳパケットが含まれるフレームの転送遅延を最小に抑えることができ、伝送遅延時間の揺らぎを小さくすることができる通信装置、上記通信装置のための信号処理プログラム及び記録媒体を提供することにある。
【課題を解決するための手段】
【００１３】
本発明に係る通信装置は、映像信号と音声信号とを同期して通信するためにＭＰＥＧ２−ＴＳ（Moving Picture Experts 2-Transport Stream）を使用してＴＳパケットを通信する通信装置であって、
ＰＣＲ（Program Clock Reference）値を含むＴＳ（Transport Stream）パケットをフレームに格納する場合に、当該ＴＳパケットがフレームサイズになるようにヌルフレームをパディング処理する通信回路を備えることを特徴とする。
【発明の効果】
【００１４】
本発明の通信装置によれば、ＰＣＲ値を含むＴＳパケットである事を通信回路に通知して、ＰＣＲ値を含むＴＳパケットをフレームに格納する場合に、そのＴＳパケット以降はヌルパケットにより所定のフレームサイズになるようにパディング処理を行う。従って、ＰＣＲ値を含むＴＳパケットが含まれるフレームの転送遅延を最小に抑えることができて、伝送遅延時間の揺らぎを小さくすることができる。また、受信側ではＭＰＥＧ２−ＴＳ回路でヌルフレームを削除するので、通信回路でパディング処理を行ったヌルフレームの削除処理が必要ない。
【図面の簡単な説明】
【００１５】
【図１】本発明の一実施形態に係る無線通信システムの構成を示すブロック図である。
【図２】図１の無線送信装置１０Ａの詳細構成を示すブロック図である。
【図３】図１の無線受信装置２０の詳細構成を示すブロック図である。
【図４】図１の無線通信システムにおいて伝送される無線フレームのフォーマットを示す図である。
【図５】図４の無線フレームのフォーマットを示す図である。
【図６】図２の無線フレーム生成部１２１においてパディング処理をしたときの無線フレームのフォーマットを示す図である。
【図７】図２の無線送信装置１０Ａにより実行される無線送信処理を示すフローチャートである。
【図８】図７のサブルーチンであるパディング処理を示すフローチャートである。
【発明を実施するための形態】
【００１６】
以下、本発明の実施形態に係る無線通信システムについて、図面を参照して詳細に説明する。
【００１７】
図１は、本発明の一実施形態に係る無線通信システムの構成を示すブロック図である。図１の無線通信システムは、複数の無線送信装置１０Ａ〜１０Ｄと、１つの無線受信装置２０とを含み、ＭＰＥＧ２のＴＳパケットを無線伝送する。各無線送信装置１０Ａ〜１０Ｄは、例えばチューナ及びＤＶＤプレーヤなどである。各無線送信装置１０Ａ〜１０Ｄは、映像信号及び音声信号を含む入力データ（ＥＳデータ）を取得してＴＳパケットにエンコードし、ＴＳパケットを含む無線フレームを無線受信装置２０に無線送信する。無線受信装置２０は、例えばディスプレイ及びスピーカを備える。無線受信装置２０は、無線送信装置１０Ａ〜１０Ｄのいずれかから無線受信した無線フレームに含まれるＴＳパケットをデコードして元の映像信号及び音声信号を取得し、ディスプレイ及びスピーカから同期させて出力する。
【００１８】
本実施形態に係る無線通信システムでは、ＭＰＥＧ２−ＴＳ技術を使用して映像信号と音声信号を同期して無線通信する場合に際して、以下の特徴を有する。ＭＰＥＧ２−ＴＳのデコード側で同期をとるために使用するＰＣＲ値を無線転送する場合、ＰＣＲ値を含むＴＳパケットを格納した無線フレームは、所定の無線フレームサイズに満たない場合、その不足分をヌル（ＮＵＬＬ）フレームでパディング処理する。これにより、低遅延でＰＣＲ値を無線転送できる。
【００１９】
図２は、図１の無線送信装置１０Ａの詳細構成を示すブロック図である。無線送信装置１０Ａは、アンテナ１００、バス１０１、符号化回路１０２、無線通信回路１０３、ＣＰＵ１０４、ＤＭＡコントローラ（ＤＭＡＣ）１０５、ＲＡＭ１０６、及び入力装置１０７を備えて構成される。
【００２０】
図２において、ＣＰＵ１０４は無線送信装置１０Ａの動作を制御し、入力装置１０７は無線送信装置１０Ａのパディング処理部１２２がパディング処理を行うか否かの設定をユーザにより設定するためのキーボード及びマウスを含む。符号化回路１０２は、インターフェース回路１１１、映像符号化器１１２、音声符号化器１１３、ＴＳ符号化器１１４、タイマー回路１１５、及びＰＣＲ生成器１１６を備える。インターフェース回路１１１は、例えばＨＤＭＩ（登録商標）インターフェースである。インターフェース回路１１１は、入力データを映像信号及び音声信号に分離してそれぞれ映像符号化器１１２及び音声符号化器１１３に送る。映像符号化器１１２及び音声符号化器１１３は、映像信号及び音声信号をそれぞれ圧縮してＴＳ符号化器１１４に送る。ＴＳ符号化器１１４は、圧縮された映像信号及び音声信号を格納したＴＳパケットを生成し、ＴＳパケットは、ＤＭＡコントローラ１０５によりＲＡＭ１０６にＤＭＡ転送される。ＰＣＲ生成器１１６は、タイマー回路１１５から供給されるカウント値（タイマー値）に基づいて、符号化回路１０２の現在の時刻情報であるＰＣＲ値を生成してＴＳ符号化器１１４に送る。ＴＳ符号化器１１４は、所定の周期で、ＰＣＲ値を含むＴＳパケット（ＰＣＲパケットという。）を生成し、ＰＣＲ値を含むＴＳパケットは、ＤＭＡコントローラ１０５により無線通信回路１０３の無線フレーム生成部１２１にＤＭＡ転送される。ＴＳ符号化器１１４はＰＣＲパケットを生成する場合、ＤＭＡ転送するＴＳパケットがＰＣＲであることを通知するためのＰＣＲ通知信号を無線通信回路１０３の無線フレーム生成部１２１に出力する。
【００２１】
無線通信回路１０３は、無線フレーム生成部１２１、パディング処理部１２２、ヌルフレーム生成部１２３、ＭＡＣプロトコル制御部１２４、及び無線物理層回路であるＰＨＹ回路１２５を備えて構成される。ＭＡＣプロトコル制御部１２４は、無線フレーム生成部１２１で生成した無線フレーム（信号）を送信するためのタイミング情報の生成、無線ネットワーク同期用のビーコンフレームなどの生成を行い、ＰＨＹ回路１２５に転送する。ＰＨＹ回路１２５は、ＭＡＣプロトコル制御部１２４から入力された無線フレームに対して変調処理、アナログ無線信号への周波数変換処理、電力増幅などの処理を行い、無線信号に無線フレームの転送情報を乗せて無線送信する。また、ユーザが入力装置１０７を用いてパディング処理を行うことを設定した場合（デフォルト設定される場合を含む）において、ＴＳ符号化器１１４から送出したＴＳパケットがＰＣＲである旨を通知するＰＣＲ通知信号を受信した場合、以下のように動作する。無線フレーム生成部１２１は、ヌルフレーム生成部１２３に無線フレームを構成するために必要な不足データサイズの通知を行う。次いで、無線フレーム生成部１２１はヌルフレーム生成部１２３及びパディング処理部１２２で複数のヌルフレームを生成してパディング処理を行った無線フレームを生成して無線フレーム生成部１２１に出力する。
【００２２】
図３は、図１の無線受信装置２０の詳細構成を示すブロック図である。無線受信装置２０は、アンテナ２００、バス２０１、無線通信回路２０２、復号化回路２０３、ＣＰＵ２０４、ＤＭＡコントローラ２０５、及びＲＡＭ２０６を備える。
【００２３】
図３において、無線通信回路２０２は、ＰＨＹ回路２１１、ＭＡＣプロトコル制御部２１２、無線フレーム分割部２１３を備えて構成される。ＰＨＹ回路２１１は、無線送信装置１０Ａから無線送信された無線フレームを含む無線信号をアンテナ２００を介して受信する。ＰＨＹ回路２１１は、受信された無線フレームを含む無線信号に対して、低雑音増幅、周波数変換、Ａ／Ｄ変換及び復調を行って、復調後のベースバンド信号をＭＡＣプロトコル制御部２１２に送る。ＭＡＣプロトコル制御部２１２は、入力されるベースバンド信号に対してＭＡＣヘッダの解析、エラー検出などの処理を行う。エラーが検出されなかった無線フレーム（信号）は無線フレーム分割部２１３に入力される。無線フレーム分割部２１３は、入力される無線フレームをＴＳパケット単位に分割して、ＴＳ復号化器２２１、もしくはＲＡＭ２０６にＤＭＡ転送する。
【００２４】
復号化回路２０３は、ＴＳ復号化器２２１、映像復号化器２２２、バッファメモリ２２３、音声復号化器２２４、バッファメモリ２２５、インターフェース回路２２６、加算器２２７、タイマー回路２２８、及び同期信号生成器２２９を備える。ＲＡＭ２０６に格納されたＴＳパケットは、ＴＳ復号化器２２１にＤＭＡ転送される。ＴＳ復号化器２２１は、ＴＳパケットを映像信号及び音声信号に分離し、映像復号化器２２２及び音声復号化器２２４にそれぞれ送る。映像復号化器２２２及び音声復号化器２２４は、映像信号及び音声信号をそれぞれ伸張してバッファメモリ２２３及び２２５に一時的に格納する。また、ＴＳパケットがＰＣＲ値を含む場合、ＴＳ復号化器２２１はＰＣＲ値を抽出する。抽出されたＰＣＲ値はタイマー回路２２８に送られる。タイマー回路２２８は、入力されたＰＣＲ値と比較することでタイマー回路２２８自体のカウント値（タイマー値）を調整し、調整後のカウント値を同期信号生成器２２９に送る。同期信号生成器２２９は、入力されたカウント値に基づいて、映像信号及び音声信号を同期させるための同期信号を生成してインターフェース回路２２６に送る。インターフェース回路２２６は、例えばＨＤＭＩ（登録商標）インターフェースである。インターフェース回路２２６は、バッファメモリ２２３及び２２５に格納された映像信号及び音声信号を読み出し、同期信号に基づいて映像信号及び音声信号を同期させて出力データを生成する。
【００２５】
図４は、図１の無線通信システムにおいて伝送される無線フレームのフォーマットを示す図である。図４において、無線フレームは、プリアンブル、ＰＨＹヘッダ、ＭＡＣヘッダ、ペイロード部、及びＦＣＳフィールドを含む。ペイロード部には、１つ又は複数のＴＳパケットが格納される。各ＴＳパケットはＴＳヘッダ及びＴＳペイロードを含み、ＴＳペイロードには、圧縮された（又は非圧縮の）映像信号又は音声信号が格納される。また、ＴＳパケットがＰＣＲ値を含む場合、ＰＣＲ値はＴＳヘッダのアダプテーションフィールドに格納される。ここで、ペイロード部のサイズは、ＴＳパケットのサイズの倍数に設定する。こうすることで、無線フレームを構成する場合に、ＴＳパケット単位で無線フレームを構成することでできて、信号処理を簡易化することが可能で、かつ、受信側で複数の無線フレームから１個のＴＳパケットを再生成する必要が無くなる。
【００２６】
図５は図４の無線フレームのフォーマットを示す図であり、ＴＳパケットのヌルフレームの構成を示す。図５において、ＴＳパケットはＴＳヘッダとペイロード部で構成されて、ＴＳヘッダ中にはパケット種別を示すＰＩＤフィールドがあり、ヌルフレームの場合は、０ｘ１ＦＦＦになる。また、ヌルフレームの場合、ペイロード部は、０ｘＦＦで埋められる。コンティニュティカウンタ値はパケット毎に１ずつインクリメントして、受信側でエラー検出に使用される。
【００２７】
図６は図２の無線フレーム生成部１２１においてパディング処理をしたときの無線フレームのフォーマットを示す図である。図６において、ＴＳ符号化器でＰＣＲパケットを生成した場合、そのＰＣＲパケットを図２の無線通信回路１０３に転送すると同時に、転送データがＰＣＲパケットであることを通知するＰＣＲ通知信号を無線通信回路１０３に出力する。無線フレーム生成部１２１はＴＳパケットを複数格納して無線フレームを生成する。しかし、無線フレーム生成部１２１はＰＣＲパケットを無線フレームに格納した時点で、無線フレームサイズを構成するために必要な残りのサイズをヌルパケットでパディング処理を行い、無線フレームを生成してＭＡＣプロトコル制御部１２４に出力する。無線フレームサイズは処理の簡易化のために、ＴＳパケットサイズの倍数に設定するのが好ましい。
【００２８】
図７は図２の無線送信装置１０Ａにより実行される無線送信処理を示すフローチャートである。また、図８は図７のサブルーチンであるパディング処理を示すフローチャートである。
【００２９】
図７において、ＴＳ符号化器１１４でＴＳパケットを生成する場合に（Ｓ１）、ＰＣＲパケットを生成する場合は（Ｓ２でＹＥＳ）、無線通信回路１０３にＰＣＲパケットを転送することを通知するＰＣＲ通知信号を出力する（Ｓ３）。それ以外のＴＳパケットを生成する場合は、無線通信回路１２１に何も通知せず、通知信号を出力しない（Ｓ２でＮＯ）。次いで、ステップＳ４において、無線通信回路１２１はＰＣＲ通知信号を受信すると、ＰＣＲパケットを無線フレームに格納した時点の無線フレームサイズを計測する。ＰＣＲパケットを格納した時点で所定の無線フレームサイズになった場合は（Ｓ４でＹＥＳ）、パディング処理を行わないで、その無線フレームをＭＡＣプロトコル制御部１２４に出力する。ＰＣＲパケットを格納した時点で所定の無線フレームサイズにならない場合は（Ｓ４でＮＯ）、不足サイズ分のヌルパケットを生成して、ＰＣＲパケットの後にパディング処理を行い（Ｓ５）、無線フレームのカプセル化処理を行う（Ｓ６）。
【００３０】
図８のパディング処理において、ヌルフレームを生成する場合に、ヌルフレームのＴＳヘッダ部のコンティニュティカウンタ値は１ずつインクリメントする（Ｓ１１）。次いで、ペイロード部を０ｘＦＦで埋めることによりヌルフレームを生成する（Ｓ１２）。無線フレームサイズだけパディング処理をしたか否かを判断し（Ｓ１３）、終了していないときはステップＳ１１に戻り、パディング処理を続ける。終了しているときは元のルーチンに戻る。そして、最後のヌルフレームに設定したカウンタ値をＴＳ符号化器１１４に通知する。ＴＳ符号化器１１４は通知を受けたカウンタ値からコンティニュティカウンタ値のインクリメントを行う。
【００３１】
図３の無線受信装置２０がパディング処理を行った無線フレームを受信した場合、無線フレーム分割部２１３でＴＳパケット単位に分割されてＴＳ復号化器２２１に入力される。しかし、ヌルフレームはＴＳ復号化器２２１で破棄されるので、無線通信回路２０２で意図的にパディング処理を行ったフィールドを削除する必要は無い。
【００３２】
以上の実施形態において、ビットレート調整のためにヌルフレームをＴＳ符号化器１１４が生成して無線通信回路１２１に転送する場合もあり得る。このような場合は、無線通信回路１２１でパディング処理を行わないようにユーザが入力装置１０７を用いて任意に設定可能な構成としておくことが好ましい。
【００３３】
以上の実施形態において、無線通信回路１０３，２０２の無線通信規格は特に定めていないが、本実施形態を適用可能な無線通信規格であれば、これらの無線通信規格を用いることができる。
【００３４】
以上の実施形態においては、無線通信を用いて無線フレームを含む無線信号を送受信しているが、本発明はこれに限られず、有線通信を用いて有線フレームを含む有線信号を送受信してもよい。すなわち、有線送信装置及び有線受信装置を含む有線通信装置を備えた有線通信システムに適用できる。
【００３５】
以上の実施形態において、図２の無線送信装置１０Ａ及び図３の無線受信装置２０は、ＨＤＭＩ（登録商標）インターフェースであるインターフェース回路１１１及び２２６を備えていたが、映像信号及び音声信号を入出力できるインターフェースであれば、他のインターフェースであってもよい。
【００３６】
実施形態のまとめ．
第１の態様に係る通信装置は、映像信号と音声信号とを同期して通信するためにＭＰＥＧ２−ＴＳ（Moving Picture Experts 2-Transport Stream）を使用してＴＳパケットを通信する通信装置である。
上記通信装置は、ＰＣＲ（Program Clock Reference）値を含むＴＳ（Transport Stream）パケットをフレームに格納する場合に、当該ＴＳパケットがフレームサイズになるようにヌルフレームをパディング処理する通信回路を備えることを特徴とする。
【００３７】
第２の態様に係る通信装置は、第１の態様に係る通信装置において、上記通信回路は、上記ＴＳパケットを受信したとき、当該ＴＳパケット内のヌルフレームを削除することを特徴とする。
【００３８】
第３の態様に係る通信装置は、第１又は第２の態様に係る通信装置において、生成したＴＳパケットがＰＣＲ値を含むことを示すＰＣＲ通知信号を上記通信回路に出力する符号化回路を備えることを特徴とする。
【００３９】
第４の態様に係る通信装置は、第１〜第３の態様のうちのいずれか１つの態様に係る通信装置において、上記フレームのサイズはＴＳパケットのサイズの倍数に設定されることを特徴とする。
【００４０】
第５の態様に係る通信装置は、第１〜第４の態様のうちのいずれか１つの態様に係る通信装置において、ユーザがパディング処理を行うか否かを設定する入力装置をさらに備えることを特徴とする。
【００４１】
第６の態様に係る信号処理プログラムは、映像信号と音声信号とを同期して通信回路を用いて通信するためにＭＰＥＧ２−ＴＳを使用してＴＳパケットを通信する通信装置のための信号処理プログラムである。
上記信号処理プログラムは、上記通信回路がＰＣＲ値を含むＴＳパケットをフレームに格納する場合に、当該ＴＳパケットがフレームサイズになるようにヌルフレームをパディング処理するステップを含むことを特徴とする。
【００４２】
第７の態様に係る、コンピュータにより読取可能な記録媒体は、映像信号と音声信号とを同期して通信回路を用いて通信するためにＭＰＥＧ２−ＴＳを使用してＴＳパケットを通信する通信装置のための信号処理プログラムを記憶し、コンピュータにより読取可能な記録媒体である。
上記記録媒体は、上記通信回路がＰＣＲ値を含むＴＳパケットをフレームに格納する場合に、当該ＴＳパケットがフレームサイズになるようにヌルフレームをパディング処理するステップを含む信号処理プログラムを格納することを特徴とする。
【符号の説明】
【００４３】
１０Ａ，１０Ｂ，１０Ｃ，１０Ｄ…無線送信装置、
２０…無線受信装置、
１００…アンテナ、
１０１…バス、
１０２…符号化回路、
１０３…無線通信回路、
１０４…ＣＰＵ、
１０５…ＤＭＡコントローラ、
１０６…ＲＡＭ、
１０７…入力装置、
１１１…インターフェース回路、
１１２…映像符号化器、
１１３…音声符号化器、
１１４…ＴＳ符号化器、
１１５…タイマー回路、
１１６…ＰＣＲ生成器、
１２１…無線フレーム生成部、
１２２…パディング処理部、
１２３…ヌルフレーム生成部、
１２４…ＭＡＣプロトコル制御部、
１２５…ＰＨＹ回路、
２００…アンテナ、
２０１…バス、
２０２…無線通信回路、
２０３…復号化回路、
２０４…ＣＰＵ、
２０５…ＤＭＡコントローラ、
２０６…ＲＡＭ、
２１１…ＰＨＹ回路、
２１２…ＭＡＣプロトコル制御部、
２１３…無線フレーム分割部。
【先行技術文献】
【特許文献】
【００４４】
【特許文献１】特開２００９−１７７４４７号公報
【図１】
2015104072.tif 000003
【図２】
2015104072.tif 000004
【図３】
2015104072.tif 000005
【図４】
2015104072.tif 000006
【図５】
2015104072.tif 000007
【図６】
2015104072.tif 000008
【図７】
2015104072.tif 000009
【図８】
2015104072.tif 000010